【事件の表示】
　特願２００５−３７４３７６号「オープンショーケース」拒絶査定不服審判事件〔平成１９年　７月１２日出願公開、特開２００７−１７５１３０号〕について、次のとおり審決する。
【結　論】
　本件審判の請求は、成り立たない。
【理　由】
第１．出願の経緯
　本願は、平成１７年１２月２７日の出願であって、平成２３年３月１７日付けで拒絶査定がなされ、これに対して平成２３年６月２３日に拒絶査定不服審判の請求がなされるとともに、その審判請求と同時に手続補正がなされたものである。
　
第２．本願発明について
１．本願発明
　本願の特許請求の範囲の請求項１ないし６に係る発明は、平成２３年６月２３日付けで手続補正された請求項１ないし６に記載された事項により特定されるとおりのものであるところ、その請求項１に係る発明（以下「本願発明」という）は次のとおりのものである。
　
「【請求項１】　
　前面に開口する陳列室内を冷却、又は、加熱すると共に、前記陳列室の開口にはエアーカーテンを構成して成るオープンショーケースにおいて、　
　前記陳列室の開口を塞ぐかたちで前記エアーカーテンの外側に沿って設けられた陳列室カバーを備え、　
　該陳列室カバーは、それぞれ上下方向に延在し、左右に並設された複数の硬質カバー部材から構成され、各硬質カバー部材は、前記陳列室内に陳列された商品を取出可能な商品取出口をそれぞれ有し、各商品取出口以外の部分は前記陳列室内を透視可能な硬質壁とされていることを特徴とするオープンショーケース。」　
　
２．引用刊行物とその記載事項
・刊行物１：実願昭５３−２５３２９号（実開昭５４−１２８９６３号）のマイクロフィルム
・刊行物２：実願昭５３−９０１３９号（実開昭５５−６７７５号）のマイクロフィルム
　
（１）刊行物１
　原査定の理由に引用され、本願出願前に頒布された刊行物１には、「開放型冷凍，冷蔵ショーケース」に関して、以下の記載がある。
　
ア．「２．実用新案登録請求の範囲　
　１．開放型冷凍，冷蔵ショーケースの前面の開放部の上端を決定する
ケース本体部分に上端が固定された多数の透明な短冊形可撓性シートで上部開放部の横方向を隙間なく被った
　
イ．「第１図および第２図に示した本考案の一実施例による開放型冷凍，冷蔵ショーケースは，従来同様に，
ケース本体１内に棚２，３を設けて複数の物品陳列段を形成
前面の大きな開放部７にエアーカーテンＣ
１
を形成し、それによりケース本体１の内外を仕切るとともに各陳列段の物品を冷却し続けるようになされている。
　
ウ．第１図，第２図には、透明な短冊形可撓性シート８〜１２が、
冷蔵ショーケースのケース本体１における前面に設けられた開放部７を塞ぐようにエアーカーテンＣ
１
の外側に設けられていること、及び透明な短冊形可撓性シート８〜１２が上下方向に延在するとともに、左右に並設される
　
　以上のア．、イ．の記載、ウ．の第１，２図に図示されている事項、及びその他の図面における記載を総合すると、刊行物１には以下の発明（以下「引用発明」という）が記載されている。
　
「前面に開放部７を設けた複数の物品陳列段を形成したケース本体１内を冷却すると共に、その前面に設けられた開放部７にエアーカーテンＣ１を形成した開放型冷凍，冷蔵ショーケースにおいて、
　ケース本体１の開放部７を塞ぐようにエアーカーテンＣ１の外側に設けられた多数の透明な短冊形可撓性シート８〜１２を備え、
　該多数の透明な短冊形可撓性シート８〜１２は、上下方向に延在するとともに、左右に並設されるものである開放型冷凍，冷蔵ショーケース。」
　
（２）刊行物２
　原査定の理由に引用され、本願出願前に頒布された刊行物２には、「平形ショーケース」に関して、以下の記載がある。
　
エ．「実用新案登録請求の範囲
　
上方開口部に置き蓋を配設してある平形ショーケースにおいて、置き蓋は透明又は半透明の材質からなり、複数個の商品取出孔を有している
　
オ．「第１図は本考案による平形ショーケース１０の斜視図である。符号１１は上方開口部を有する外箱であり、この外箱１１の上方開口部周縁には開口段部１２が設けられている。
符号１３はこの開口段部１２に対し上方から載置される置き蓋であり、透明又は半透明の材質、例えばプラスチックにより作られている。
　
カ．「置き蓋１３には商品取出用孔１４が穿設されているので、商品をケース内に収納した後は、置き蓋をいちいち持ち上げることなく、蓋はそのままにしておいてケース内に手を入れ容易に商品を取り出すことができる。」（明細書第４ページ第６〜１０行）
　
　以上のエ．、オ．、カ．及び図面の記載を総合すると、刊行物２には以下の発明（以下「刊行物２の発明」という）が記載されている。　
  
「平形ショーケースの上方開口部に配設されるものであって、透明又は半透明の材質、例えばプラスチックにより作られているものであり、適宜な間隔で複数個の商品取出用孔１４が穿設されているものである置き蓋１３。」
　
３．対比・判断
　本願発明と、引用発明とを対比すると、引用発明の「前面に開放部７を設け」ることは、本願発明の「前面に開口する」ことに相当し、以下同様に、「複数の物品陳列段を形成したケース本体１」は、本願発明の「陳列室」に、「開放部７」は、「開口」に、「エアーカーテンＣ１」は、「エアーカーテン」に、「開放型冷凍，冷蔵ショーケース」は、「オープンショーケース」に、「多数の透明な短冊形可撓性シート８〜１２」は、「陳列室カバー」に、それぞれ相当し、引用発明の「透明な短冊形可撓性シート８〜１２」 と、本願発明の「硬質カバー部材」とは、「カバー部材」であることにおいて共通する。
　
　よって、両者の一致点、相違点は以下のとおりである。
　
［一致点］
　前面に開口する陳列室内を冷却すると共に、前記陳列室の開口にはエアーカーテンを構成して成るオープンショーケースにおいて、　
　前記陳列室の開口を塞ぐかたちで前記エアーカーテンの外側に沿って設けられた陳列室カバーを備え、　
　該陳列室カバーは、それぞれ上下方向に延在し、左右に並設された複数のカバー部材から構成されるオープンショーケース。
　
［相違点］
　本願発明においては、カバー部材について、硬質カバー部材から構成されるものであって、各硬質カバー部材は、前記陳列室内に陳列された商品を取出可能な商品取出口をそれぞれ有し、各商品取出口以外の部分は前記陳列室内を透視可能な硬質壁とされているのに対し、引用発明においては、カバー部材について、透明な短冊形可撓性シートから構成される点。
　
４．当審の判断
　そこで、上記相違点について検討する。
　
［相違点について］
　刊行物２の発明における「平形ショーケース」は、「オープンショーケース」に相当し、刊行物２の発明における「上方開口部」は、「陳列室の開口」に相当し、刊行物２の発明における「商品取出用孔１４が穿設されている」ことは、平形ショーケース内に陳列された商品を取出すためであることに他ならないから、「陳列室に陳列された商品を取出可能な商品取出口を有する」ことにそれぞれ相当する。さらに、刊行物２の発明における「置き蓋１３」は、透明又は半透明の材質、例えばプラスチックにより作られているものであり、刊行物２の第１図，第２図からみると、置き蓋１３は少なくとも保形性を備えるものであるから、「硬質カバー部材」に相当し、さらに透明あるいは半透明な材質からなることにより、「商品取出口以外の部分は陳列室内を透視可能」となることは明らかである。
　よって、刊行物２の発明は、「オープンショーケースの陳列室の開口に配設され、陳列室内に陳列された商品を取出可能な商品取出口をそれぞれ有し、各商品取出口以外の部分は前記陳列室内を透視可能な硬質壁とされている硬質カバー部材」ということができる。
　そうすると、引用発明の開放型冷凍，冷蔵ショーケースにおいて、商品の出し入れの利便性等を考慮して、透明な短冊形可撓性シートに代えて上記刊行物２の発明における、陳列室内に陳列された商品を取出可能な商品取出口をそれぞれ有し、各商品取出口以外の部分は前記陳列室内を透視可能な硬質壁とされている硬質カバー部材を採用することにより、上記相違点に係る発明特定事項とすることは、当業者であれば容易になし得たものである。
　さらに、オープンショーケースの開口部に硬質カバー部材を設ける際、上下方向に延在し、左右に並設することは周知の技術的事項（特開昭５６−１３３５６８号公報、第２，３図／実願昭４７−１２３０７号（実開昭４８−８６７９５号）のマイクロフィルム、第１〜３図参照）であるから、引用発明に刊行物２の発明における硬質カバー部材を採用する際においても、引用発明の多数の透明な短冊形可撓性シート８〜１２と同様に、それらを上下方向に延在するとともに、左右に並設することに格別な困難性はない。
　
　そして、本願発明によって得られる効果も、引用発明、刊行物２の発明、周知の技術的事項から、当業者であれば予測できる程度のものであって、格別なものとはいえない。
　
　したがって、本願発明は、引用発明、刊行物２の発明、周知の技術的事項に基いて当業者が容易に発明をすることができたものである。
　
５．結び
　以上のとおり、本願発明は、引用発明、刊行物２の発明、周知の技術的事項に基いて当業者が容易に発明をすることができたものであるから、特許法第２９条第２項の規定により特許を受けることができない。
　したがって、他の請求項について検討するまでもなく拒絶すべきものである。
　　
　よって、結論のとおり審決する。